(57)【要約】    【課題】漏れ電流の発生を防止した、ＰＭＯＬＥＤを駆動する出力ドライバを提供すること。    【解決手段】低電源電圧端に接続され、入力される電流の値に比例する電流を出力する低電圧アナログ部（３１０）と、高電源電圧端に接続され、前記比例する電流が出力されると通電する高電圧出力ドライバ部（３４０）と、低電圧アナログ部（３１０）及び高電圧出力ドライバ部（３４０）を断続するスイッチ部（３２０）と、高電圧出力ドライバ部（３４０）及びスイッチ部（３２０）の間に挿入される、少なくとも１つの補償ダイオード（３３０）とを備えることを特徴とする。【選択図】図３
2006039577.tif 000002
【特許請求の範囲】
【請求項１】
低電源電圧端に接続され、入力される電流の値に比例する電流を出力する低電圧アナログ部と、
高電源電圧端に接続され、前記比例する電流が出力されると通電する高電圧出力ドライバ部と、
前記低電圧アナログ部及び高電圧出力ドライバ部を断続するスイッチ部と、
前記高電圧出力ドライバ部及びスイッチ部の間に挿入される、少なくとも１つの補償ダイオードとを備えることを特徴とするパッシブマトリクス有機発光ダイオード用出力ドライバ。
【請求項２】
前記補償ダイオードが、ＭＯＳトランジスタを用いて形成されることを特徴とする請求項１に記載のパッシブマトリクス有機発光ダイオード用出力ドライバ。
【請求項３】
前記低電圧アナログ部が、一端が前記低電源電圧端に接続され、前記比例する電流を生成する電流ミラー回路からなることを特徴とする請求項２に記載のパッシブマトリクス有機発光ダイオード用出力ドライバ。
【請求項４】
高電源電圧端に接続され、入力される電流により制御される第１高電圧ドライバと、
低電源電圧端に接続され、前記第１高電圧ドライバから伝達される電流に比例する電流を出力する第２高電圧ドライバと、
前記第１高電圧ドライバ及び第２高電圧ドライバの間に挿入され、少なくとも１つの補償ダイオードとを備えることを特徴とするパッシブマトリクス有機発光ダイオード用出力ドライバ。
【請求項５】
前記補償ダイオードが、ＭＯＳトランジスタを用いて形成されることを特徴とする請求項４に記載のパッシブマトリクス有機発光ダイオード用出力ドライバ。
【請求項６】
前記第２高電圧ドライバが、一端が前記低電源電圧端に接続され、前記比例する電流を生成する電流ミラー回路からなることを特徴とする請求項５に記載のパッシブマトリクス有機発光ダイオード用出力ドライバ。
【発明の詳細な説明】
【技術分野】
【０００１】
本発明は、パッシブマトリクス有機発光ダイオード（ＰＭＯＬＥＤ：Ｐａｓｓｉｖｅ  Ｍａｔｒｉｘ  Ｏｒｇａｎｉｃ  Ｌｉｇｈｔ  Ｅｍｉｔｔｉｎｇ  Ｄｉｏｄｅ）に関し、より詳細には、ＰＭＯＬＥＤを駆動する出力ドライバの漏れ電流の発生を防止することができる回路に関する。
【背景技術】
【０００２】
図１に示すように、従来のＰＭＯＬＥＤを駆動する出力ドライバは、低電圧アナログ部１１０と、高電圧出力ドライバ部１３０と、その間に、ＰＷＭ（Ｐｕｌｓｅ−Ｗｉｄｔｈ  Ｍｏｄｕｌａｔｉｏｎ）スイッチ１２０とを備えている。低電圧アナログ部１１０はミラー回路を構成する第１〜第４ＮＭＯＳトランジスタ１１２、１１４、１１６、及び１１８を備え、一端が低電源電圧端Ｖｉｎに接続されている。第１ＮＭＯＳトランジスタ１１２に電流Ｉが流れると、電流ミラー効果により、第３ＮＭＯＳトランジスタ１１６にも同じ大きさの電流Ｉが流れる。これにより、ＰＷＭスイッチ１２０のドレイン（Ｄ）−ソース（Ｓ）間に電流が流れ、高電圧出力ドライバ部１３０内の高電圧ＰＭＯＳトランジスタ１３２、１３４、１３６、及び１３８に電流が流れる。この時、ＰＷＭスイッチ１２０のドレイン端にかかる電圧Ｖ１は、低電圧アナログ部１１０内の第１ＮＭＯＳトランジスタ１１２に流れる電流Ｉにより決定される。すなわち、低電圧アナログ部１１０内に小さい電流Ｉが流れて、ＰＷＭスイッチ１２０のゲート（Ｇ）−ソース間電圧（Ｖｇｓ）が所定のしきい電圧以上に上昇すると、ＰＷＭスイッチ１２０がターンオンする。このとき、高電圧出力ドライバ部１３０の高電源電圧端Ｖｏｕｔに、例えば、約１８Ｖが印加されると、ＰＷＭスイッチ１２０のドレイン端の電圧Ｖ１は、約１４〜１５Ｖである。結局、ＰＷＭスイッチ１２０のドレイン−ソース間電圧（Ｖｄｓ）がゲート−ソース間電圧（Ｖｇｓ）と比べて高くなり、ＰＷＭスイッチ１２０において、ドレインから基板（図示せず）に漏れ電流Ｉｓｕｂが流れる。
【発明の開示】
【発明が解決しようとする課題】
【０００３】
図２は、図１に示す出力ドライバにおいて測定された、漏れ電流とドレイン電圧との関係を示すグラフである。
【０００４】
基板への漏れ電流Ｉｓｕｂは、以下の数式で表される。
【０００５】
【数１】
2006039577.tif 000003
【０００６】
【数２】
2006039577.tif 000004
【０００７】
ここで、α０は、衝突イオン化電流の第１パラメータ、
α１は、衝突イオン化定数、
β０は、衝突イオン化電流の第２パラメータ、
Ｌｅｆｆは、ＰＷＭスイッチの実効チャネル長、
Ｖｄｓｅｆｆは、実効ドレイン電圧、
Ｉｄｅａは、ドレイン飽和電流、及び
ＶＡは、アーリー電圧である。
【０００８】
上記数式によると、ドレイン電圧Ｖｄが増大すると、基板への漏れ電流Ｉｓｕｂも増大することが分かる。図２において、条件ａのグラフは、高電圧出力ドライバ部１３０のＭＯＳトランジスタにゲート電圧Ｖｇ＝３Ｖ、ソース電圧Ｖｓ＝１．２Ｖを印加した場合の、ドレイン電流Ｉｄに対する基板への漏れ電流Ｉｓｕｂの割合を示すグラフであり、条件ｂのグラフは、ゲート電圧Ｖｇ＝２．６Ｖ、ソース電圧Ｖｓ＝０．８Ｖを印加した場合のグラフである。上記両条件ａ、ｂ共に、ＰＷＭスイッチ１２０のドレイン電圧Ｖｄが増大するほど、基板への漏れ電流も増大するということが確認できる。
【０００９】
このように、ＰＷＭスイッチ１２０を入れる電流Ｉが低電流である時、ＰＷＭスイッチ１２０のドレイン電圧Ｖｄが増大して、ドレインから基板に流れる漏れ電流Ｉｓｕｂが増大する。このような基板への漏れ電流は、印加される電圧の大きさにより異なるが、漏れ電流が発生するチャネルが多くなるほど、不必要に消費される電力が増大する。
【００１０】
本発明は、上記問題を解決するためになされたものであり、その目的は、漏れ電流の発生を防止した、ＰＭＯＬＥＤを駆動する出力ドライバを提供することにある。
【課題を解決するための手段】
【００１１】
上記の目的を達成するため、本発明の第１の実施の形態に係るパッシブマトリクス有機発光ダイオード用出力ドライバは、低電源電圧端に接続され、入力される電流の値に比例する電流を出力する低電圧アナログ部と、高電源電圧端に接続され、前記比例する電流が出力されると通電する高電圧出力ドライバ部と、前記低電圧アナログ部及び高電圧出力ドライバ部を断続するスイッチ部と、前記高電圧出力ドライバ部及びスイッチ部の間に挿入される、少なくとも１つの補償ダイオードとを備えることを特徴とする。
【００１２】
前記補償ダイオードが、ＭＯＳトランジスタを用いて形成されることができる。
【００１３】
前記低電圧アナログ部が、一端が前記低電源電圧端に接続され、前記比例する電流を生成する電流ミラー回路からなることができる。
【００１４】
また、本発明の第２の実施の形態に係るパッシブマトリクス有機発光ダイオード用出力ドライバは、高電源電圧端に接続され、入力される電流により制御される第１高電圧ドライバと、低電源電圧端に接続され、前記第１高電圧ドライバから伝達される電流に比例する電流を出力する第２高電圧ドライバと、前記第１高電圧ドライバ及び第２高電圧ドライバの間に挿入され、少なくとも１つの補償ダイオードとを備えることを特徴とする。
【００１５】
前記補償ダイオードが、ＭＯＳトランジスタを用いて形成されることができる。
【００１６】
前記第２高電圧ドライバが、一端が前記低電源電圧端に接続され、前記比例する電流を生成する電流ミラー回路からなることができる。
【発明の効果】
【００１７】
本発明によると、ＰＭＯＬＥＤを駆動する出力ドライバの漏れ電流の発生を防止することができる。
【発明を実施するための最良の形態】
【００１８】
以下、本発明の好ましい実施の形態について、添付の図面を参照して詳細に説明する。
【００１９】
図３は、本発明の第１の実施の形態に係るＰＭＯＬＥＤの電流出力ドライバの回路図である。
【００２０】
第１の実施の形態に係る電流出力ドライバは、低電圧アナログ部３１０と、高電圧出力ドライバ部３４０と、ＰＷＭスイッチ３２０と、補償ダイオード３３０とを備える。低電圧アナログ部３１０は、ミラー回路を構成する第１〜第４ＮＭＯＳトランジスタ３１２、３１４、３１６、３１８を備え、一端が低電源電圧端Ｖｉｎに接続されている。高電圧出力ドライバ部３４０は、第１及び第２ＰＭＯＳトランジスタ３４２、３４４と、第１及び第２ＰＭＯＳトランジスタ３４２、３４４と同じ大きさの第３及び第４ＰＭＯＳトランジスタ（図示せず）とを備え、高電源電圧端Ｖｏｕｔに接続されている。ＰＷＭスイッチ３２０は、低電圧アナログ部３１０と高電圧出力ドライバ部３４０との間に備えられ、これらの接続をスイッチングする。ＭＯＳトランジスタを用いた補償ダイオード３３０は、ＰＷＭスイッチ３２０のドレイン電圧を下げるために、ＰＷＭスイッチ３２０と高電圧出力ドライバ部３４０との間に、少なくとも１つ挿入される。
【００２１】
図３は、一例として、１つの補償ダイオード３３０が挿入された場合を示している。補償ダイオード３３０がＰＷＭスイッチ３２０に直列に接続されることにより、補償ダイオード３３０の順方向の電圧降下分だけ、ＰＷＭスイッチ３２０のドレイン端にかかるドレイン電圧Ｖｄが減少する。このように、ＰＷＭスイッチ３２０のドレイン電圧Ｖｄが減少することで、基板への漏れ電流の発生を防止することができる。
【００２２】
図４は、本発明の第２の実施の形態に係るＰＭＯＬＥＤの電流出力ドライバの回路図である。
【００２３】
第２の実施の形態に係る電流出力ドライバは、第１高電圧ドライバ４３０と、第２高電圧ドライバ４１０と、補償ダイオード４２０とを備える。第２高電圧ドライバ４１０は、ミラー回路を構成する第１〜第４ＮＭＯＳトランジスタ４１２、４１４、４１６、４１８を備え、一端が低電源電圧端Ｖｉｎに接続されている。第１高電圧ドライバ４３０は、第１及び第２ＰＭＯＳトランジスタ４３２、４３４と、第１及び第２ＰＭＯＳトランジスタ４３２、４３４と同じ大きさの第３及び第４ＰＭＯＳトランジスタ（図示せず）とを備え、高電源電圧端Ｖｏｕｔに接続されている。図３に示した第１の実施の形態と同様に、ＭＯＳトランジスタを用いた補償ダイオード４２０が、第１高電圧ドライバ４３０と第２高電圧ドライバ４１０との間に、少なくとも１つ挿入される。
【００２４】
図４もまた、図３と同様に、一例として、１つの補償ダイオード４２０が挿入された場合を示している。ここで、直列接続された複数の補償ダイオードを挿入できるということは当然であり、補償ダイオード４２０が第２高電圧ドライバ４１０内の第１ＮＭＯＳトランジスタ４１２に直列に接続されることにより、補償ダイオード４２０の順方向の電圧降下分だけ、第１ＮＭＯＳトランジスタ４１２のドレイン端にかかるドレイン電圧Ｖｄが減少する。このように、第１ＮＭＯＳトランジスタ４１２のドレイン電圧Ｖｄが減少することで、基板への漏れ電流の発生を防止することができる。
【００２５】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００２６】
【図１】従来の技術に係るＰＭＯＬＥＤの出力ドライバの回路図である。
【図２】図１に示す出力ドライバにおいて測定された、漏れ電流とドレイン電圧との関係を示すグラフである。
【図３】本発明の第１の実施の形態に係るＰＭＯＬＥＤの電流出力ドライバの回路図である。
【図４】本発明の第２の実施の形態に係るＰＭＯＬＥＤの電流出力ドライバの回路図である。
【符号の説明】
【００２７】
３１０      低電圧アナログ部
３２０      ＰＷＭスイッチ
３３０      補償ダイオード
３４０      高電圧出力ドライバ部
【図２】
2006039577.tif 000005
【図１】
2006039577.tif 000006
【図３】
2006039577.tif 000007
【図４】
2006039577.tif 000008